【手続補正書】
【提出日】平成23年7月28日(2011.7.28)
【手続補正１】
【補正対象書類名】特許請求の範囲
【補正対象項目名】全文
【補正方法】変更
【補正の内容】
【特許請求の範囲】
【請求項１】
無線ネットワークから複数のユーザ機器デバイスにデータを伝送する方法であって、前記ユーザ機器デバイスは高速データ・パケット・アクセス（ＨＳＤＰＡ）動作用に構成され、前記複数のユーザ機器デバイスは、少なくとも３つのユーザ機器デバイスを備え、前記方法は、
伝送時間インターバル（ＴＴＩ）に関する第１タイプの制御情報を前記無線ネットワークから前記複数のユーザ機器デバイスの第１ユーザ機器デバイスに伝送することと、ここにおいて、前記第１タイプの制御情報は前記ＴＴＩの間の前記第１ユーザ機器デバイスへのペイロード・データのＨＳＤＰＡ伝送の符号割当ておよび変調技術の指示を備え、
前記無線ネットワークから前記複数のユーザ機器デバイスの各ユーザ機器デバイスにメッセージを送ることとを具備し、ここにおいて、前記メッセージは第２タイプの制御情報を備え、前記第２タイプの制御情報は前記ＴＴＩの間の前記各ユーザ機器デバイスへのペイロード・データのＨＳＤＰＡ伝送の符号割当ておよび変調技術に関する情報を備え、
前記第１タイプの制御情報を前記伝送することは、（１）第１データ部分、および（２）前記第１ユーザ機器デバイスの専用ユーザ識別子（ＩＤ）を用いてマスクされる第１エラー検出部分を送ることを備え、ここにおいて、前記第１エラー検出部分は前記第１データ部分から導き出され、
前記各ユーザ機器デバイスへの前記メッセージは、（１）第２データ部分、および（２）共通ユーザＩＤを用いてマスクされる第２エラー検出部分を備え、ここにおいて、前記共通ユーザＩＤは前記各ユーザ機器デバイスには既知である、方法。
【請求項２】
高速ダウンリンク共有チャネル（ＨＳ−ＤＳＣＨ）上で前記ＴＴＩの間に前記無線ネットワークの第１基地送受信局から前記各ユーザ機器デバイスにペイロード・データを伝送することをさらに備え、ここにおいて、前記第１タイプの制御情報を前記伝送するステップおよび前記送るステップは、高速共有制御チャネル（ＨＳ−ＳＣＣＨ）上で実行される、請求項１に記載の方法。
【請求項３】
前記第１データ部分の巡回冗長検査（ＣＲＣ）を計算することと、
前記第１データ部分の前記ＣＲＣおよび前記第１ユーザ機器デバイスの前記専用ユーザＩＤに排他的論理和演算を実行して、前記第１ユーザ機器デバイスの前記専用ユーザＩＤを用いてマスクされる前記第１エラー検出部分を得ることと、
前記第２データ部分のＣＲＣを計算することと、
前記第２データ部分の前記ＣＲＣおよび前記共通ユーザＩＤに排他的論理和演算を実行して、前記共通ユーザＩＤでマスクされる前記第２エラー検出部分を得ることと、
をさらに備える、請求項１に記載の方法。
【請求項４】
前記ＨＳ−ＤＳＣＨ上での前記ＴＴＩの間の伝送に対してＨＳＤＰＡ符号を割当て、これにより各変調技術と関連付けられるＨＳＤＰＡ符号は、符号の所定の順序に関して連続的に割当てられることをさらに備え、ここにおいて、前記所定の順序は、前記各ユーザ機器デバイスには既知である、
請求項２に記載の方法。
【請求項５】
ＱＰＳＫ変調技術と関連付けられるＨＳＤＰＡ符号が符号の所定の順序に関して連続的に割当てられるように、そして１６ＱＡＭ変調と関連付けられるＨＳＤＰＡ符号が前記所定の順序に関して連続的に割当てられるように、前記ＨＳ−ＤＳＣＨ上での前記ＴＴＩの間の伝送に対してＨＳＤＰＡ符号を割当てることをさらに備え、ここにおいて、前記所定の順序は、前記各ユーザ機器デバイスには既知である、
請求項２に記載の方法。
【請求項６】
前記第２データ部分を生成することをさらに備え、ここにおいて、前記第２データ部分は、前記ＨＳ−ＤＳＣＨ上での前記ＴＴＩの間のＱＰＳＫ変調を用いる伝送に対して割当てられる前記ＨＳＤＰＡ符号の数のＱＰＳＫ指示、および前記ＨＳ−ＤＳＣＨ上での前記ＴＴＩの間の１６ＱＡＭ変調を用いる伝送に対して割当てられる前記ＨＳＤＰＡ符号の数の１６ＱＡＭ指示とを備える、
請求項５に記載の方法。
【請求項７】
ＱＰＳＫ変調を用いる伝送に対して割当てられる前記ＨＳＤＰＡ符号の数および１６ＱＡＭ変調を用いる伝送に対して割当てられる前記ＨＳＤＰＡ符号の数を、連続するＴＴＩの所定の数の範囲内で１回だけ変更することを可能にすることをさらに備え、ここにおいて、前記所定の数は１より大きい、
請求項６に記載の方法。
【請求項８】
ＱＰＳＫ変調を用いる伝送に対して割当てられる前記ＨＳＤＰＡ符号の数および１６ＱＡＭ変調を用いる伝送に対して割当てられる前記ＨＳＤＰＡ符号の数を、５つのＴＴＩごとに１回だけ変更することを可能にすることをさらに備える、
請求項６に記載の方法。
【請求項９】
複数の無線ユーザ機器デバイスと通信するための無線ネットワークにおける基地送受信局であって、前記基地送受信局および前記ユーザ機器デバイスは、高速データ・パケット・アクセス（ＨＳＤＰＡ）動作用に構成され、
前記基地送受信局は、
ダウンリンク・キャリヤにより搬送される第１共有チャネル上で前記複数の無線ユーザ機器デバイスにペイロード・データを伝送するように、そして第２共有チャネル上で前記複数の無線ユーザ機器デバイスに制御情報を伝送するように構成された送信機と、前記第１共有チャネルは、高速ダウンリンク共有チャネル（ＨＳ−ＤＳＣＨ）であり、前記第２共有チャネルは、高速共有制御チャネル（ＨＳ−ＳＣＣＨ）であり、
前記送信機に接続されたプロセッサと、
を具備し、ここにおいて、前記プロセッサは、
前記送信機が、伝送時間インターバル（ＴＴＩ）に関する第１タイプの制御情報を前記複数のユーザ機器デバイスの第１ユーザ機器デバイスに伝送するようにさせるように構成され、ここにおいて、前記第１タイプの制御情報は前記ＴＴＩの間の前記第１ユーザ機器デバイスへのペイロード・データのＨＳＤＰＡ伝送の符号割当ておよび変調技術の指示を備え、
前記送信機が、前記複数のユーザ機器デバイスの各ユーザ機器デバイスにメッセージを送るようにさせるように構成され、ここにおいて、前記メッセージは第２タイプの制御情報を備え、前記第２タイプの制御情報は前記ＴＴＩの間の前記各ユーザ機器デバイスへのペイロード・データのＨＳＤＰＡ伝送の符号割当ておよび変調技術に関する情報を備え、
前記第１タイプの制御情報を前記伝送することは、（１）第１データ部分、および（２）前記第１ユーザ機器デバイスの専用ユーザ識別子（ＩＤ）を用いてマスクされる第１エラー検出部分を送ることを備え、ここにおいて、前記第１エラー検出部分は前記第１データ部分から導き出され、
前記各ユーザ機器デバイスへの前記メッセージは、（１）第２データ部分、および（２）共通ユーザＩＤを用いてマスクされる第２エラー検出部分を備え、ここにおいて、前記共通ユーザＩＤは前記各ユーザ機器デバイスには既知である、基地送受信局。
【請求項１０】
前記プロセッサは、送信機がＨＳＤＰＡを使用して前記各ユーザ機器デバイスに対して前記ＴＴＩの間にペイロード・データを送るようにさせるように構成された、請求項９に記載の基地送受信局。
【請求項１１】
複数のユーザ機器デバイスと無線通信するための無線ネットワークにおける基地送受信局であって、前記基地送受信局は、高速データ・パケット・アクセス（ＨＳＤＰＡ）を使用して前記ユーザ機器デバイスと通信し、
前記基地送受信局は、
ダウンリンク・キャリヤにより搬送される第１共有チャネル上で前記複数の無線ユーザ機器デバイスにペイロード・データを伝送するように、そして第２共有チャネル上で前記複数の無線ユーザ機器デバイスに制御情報を伝送するように構成された送信機と、前記第１共有チャネルは、高速ダウンリンク共有チャネル（ＨＳ−ＤＳＣＨ）であり、前記第２共有チャネルは、高速共有制御チャネル（ＨＳ−ＳＣＣＨ）であり、
前記送信機に接続されるプロセッサと、
を具備し、ここにおいて、前記プロセッサは、
前記送信機が、伝送時間インターバル（ＴＴＩ）に関する第１タイプの制御情報を前記ＴＴＩの間にペイロード・データを受信するようにスケジュールされている前記複数のユーザ機器デバイスの各ユーザ機器デバイスに伝送するようにさせるように構成され、ここにおいて、前記第１タイプの制御情報は前記ＴＴＩの間の前記各ユーザ機器デバイスへのペイロード・データのＨＳＤＰＡ伝送の符号割当ておよび変調技術の指示を備え、前記送信機は前記各ユーザ機器デバイスに異なる第１タイプの制御情報を伝送し、
前記送信機が、前記ＴＴＩの間にペイロード・データを受信するようにスケジュールされている前記複数のユーザ機器デバイスのすべてのユーザ機器デバイスにメッセージを送るようにさせるように構成され、ここにおいて、前記メッセージは第２タイプの制御情報を備え、前記第２タイプの制御情報は前記ＴＴＩの間にペイロード・データを受信するようにスケジュールされている前記複数のユーザ機器デバイスの前記すべてのユーザ機器デバイスへのペイロード・データのＨＳＤＰＡ伝送の符号割当ておよび変調技術に関する情報を備え、
前記メッセージは、（１）第２データ部分、および（２）共通ユーザＩＤを用いてマスクされる第２エラー検出部分を備え、ここにおいて、前記共通ユーザＩＤは前記複数のユーザ機器デバイスの前記各ユーザ機器デバイスには既知である、基地送受信局。
【請求項１２】
前記プロセッサは、さらに、
前記第２データ部分の巡回冗長検査（ＣＲＣ）を計算することと、
前記第２データ部分の前記ＣＲＣおよび前記共通ユーザＩＤに排他的論理和演算を実行して、前記共通ユーザＩＤを用いてマスクされる前記第２エラー検出部分を得ることと、を備える各ステップを実行するように構成された、請求項１１に記載の基地送受信局。
【請求項１３】
前記プロセッサは、各変調技術と関連付けられるＨＳＤＰＡ符号が符号の所定の順序に関して連続的に割当てられるように、前記ＨＳ−ＤＳＣＨ上での前記ＴＴＩの間の伝送に対してＨＳＤＰＡ符号を割当てるようにさらに構成され、ここにおいて、前記所定の順序は前記複数のユーザ機器デバイスの前記各ユーザ機器デバイスには既知である、請求項１１に記載の基地送受信局。
【請求項１４】
前記プロセッサは、前記ＨＳ−ＤＳＣＨ上での前記ＴＴＩの間の伝送のためにＨＳＤＰＡ符号を割当てるようにさらに構成され、そのためＱＰＳＫ変調と関連付けられるＨＳＤＰＡ符号は、符号の所定の順序に関して連続的に割当てられ、そしてそのため１６ＱＡＭ変調と関連付けられるＨＳＤＰＡ符号は、前記所定の順序に関して連続的に割当てられ、ここにおいて、前記所定の順序は、前記各ユーザ機器デバイスには既知である、請求項１１に記載の基地送受信局。
【請求項１５】
前記プロセッサは、データ部分を生成するようにさらに構成され、ここにおいて、前記データ部分は、前記ＨＳ−ＤＳＣＨ上での前記ＴＴＩの間のＱＰＳＫ変調を用いる伝送に対して割当てられる前記ＨＳＤＰＡ符号の数のＱＰＳＫ指示と、前記ＨＳ−ＤＳＣＨ上での前記ＴＴＩの間の１６ＱＡＭ変調を用いる伝送に対して割当てられる前記ＨＳＤＰＡ符号の数の１６ＱＡＭ指示とを備える、請求項１４に記載の基地送受信局。
【請求項１６】
前記プロセッサは、ＱＰＳＫ変調を用いる伝送に対して割当てられる前記ＨＳＤＰＡ符号の数と１６ＱＡＭ変調を用いる伝送に対して割当てられる前記ＨＳＤＰＡ符号の数とを、所定の数の連続するＴＴＩのすべてのセットにおいて１回より多く変更することを防止するようにさらに構成され、ここにおいて、前記所定の数は１より大きい、請求項１５に記載の基地送受信局。
【請求項１７】
前記プロセッサは、ＱＰＳＫ変調を用いる伝送に対して割当てられる前記ＨＳＤＰＡ符号の数と１６ＱＡＭ変調を用いる伝送に対して割当てられる前記ＨＳＤＰＡ符号の数とを、５つの連続するＴＴＩのすべてのセットにおいて１回より多く変更することを防止するようにさらに構成される、請求項１２に記載の基地送受信局。
【請求項１８】
ペイロード・データを等化する方法であって、前記方法は、
伝送時間インターバル（ＴＴＩ）に関する第１タイプの制御情報をキャリヤの第１ダウンリンク共有チャネル上でユーザ機器デバイスにより受信することと、ここにおいて、前記第１タイプの制御情報は前記ＴＴＩの間の前記ユーザ機器デバイスへのペイロード・データのＨＳＤＰＡ伝送の符号割当ておよび変調技術の指示を備え、前記第１ダウンリンク共有チャネルは、高速共有制御チャネル（ＨＳ−ＳＣＣＨ）であり、
第２タイプの制御情報を前記第１ダウンリンク共有チャネル上で前記ユーザ機器デバイスにより受信することと、ここにおいて、前記第２タイプの制御情報は前記ＴＴＩの間の複数のユーザ機器デバイスへのペイロード・データのＨＳＤＰＡ伝送の符号割当ておよび変調技術に関する情報を備え、
前記第２タイプの制御情報に従って前記ユーザ機器デバイスの等化器を設定することと、
前記ＴＴＩの間にペイロード・データを前記キャリヤの第２ダウンリンク共有チャネル上で前記ユーザ機器デバイスによって受信することと、前記第２ダウンリンク共有チャネルは、高速ダウンリンク共有チャネル（ＨＳ−ＤＳＣＨ）であり、前記第２ダウンリンク共有チャネル上で前記ユーザ機器デバイスにより前記受信するステップは、前記ＴＴＩの間にＨＳＤＰＡペイロード・データを前記キャリヤの前記ＨＳ−ＤＳＣＨ上で前記ユーザ機器デバイスにより受信することを備え、
前記第２タイプの制御情報に従って設定される前記等化器を使用して、前記ＴＴＩの間に前記ユーザ機器デバイスにより受信される前記ペイロード・データ内のユーザ間干渉を等化することおよび低減することと、
ここにおいて、前記第１タイプの制御情報は、（１）第１データ部分、および（２）前記ユーザ機器デバイスの専用ユーザ識別子（ＩＤ）を用いてマスクされる第１エラー検出部分を備え、ここにおいて、前記第１エラー検出部分は前記第１データ部分から導き出され、
ここにおいて、前記第２タイプの制御情報は、（１）第２データ部分、および（２）共通ユーザＩＤを用いてマスクされる第２エラー検出部分を備え、ここにおいて、前記共通ユーザＩＤは前記複数のユーザ機器デバイスの各ユーザ機器デバイスには既知であり、
前記専用ユーザＩＤを用いて前記第１エラー検出部分のマスクを外して、マスクを外された第１エラー検出部分を得ることと、
前記マスクを外された第１エラー検出部分を用いて前記第１データ部分の完全性を検証することと、
前記共通ユーザＩＤを用いて前記第２エラー検出部分のマスクを外して、マスクを外された第２エラー検出部分を得ることと、
前記マスクを外された第２エラー検出部分を用いて前記第２データ部分の完全性を検証することとを具備する、方法。
【請求項１９】
前記設定するステップは、前記第２タイプの制御情報に従って前記ユーザ機器デバイスの判定帰還フィルタをアレンジすることを備える、請求項１８に記載の方法。
【請求項２０】
前記第２データ部分は、複数の符号数を備え、ここにおいて、前記複数の符号数の各符号数は特定の変調技術に対応し、前記各符号数は、所定のＨＳＤＰＡ符号順序に従って、前記ＴＴＩの間に前記各符号数に対応する前記変調技術を使用して変調されるデータの伝送のために使用される連続するＨＳＤＰＡ符号の量を指示し、
前記設定するステップは、前記複数の符号数および前記所定のＨＳＤＰＡ符号順序から前記ＴＴＩの間に伝送される各ＨＳＤＰＡ符号の変調技術を推定することを備える、
請求項１８に記載の方法。
【請求項２１】
前記第２データ部分は、前記ＴＴＩの間にＱＰＳＫ変調データのために使用されるＨＳＤＰＡ符号の量を指示する第１数を備え、
前記第２データ部分は、前記ＴＴＩの間に１６ＱＡＭ変調データのために使用されるＨＳＤＰＡ符号の量を指示する第２数を備え、
前記設定するステップは、ＨＳＤＰＡ符号の前記第１数がＱＰＳＫ変調データのために使用され、ＨＳＤＰＡ符号の前記第２数が１６ＱＡＭ変調データのために使用され、ＱＰＳＫ変調データのために使用される前記ＨＳＤＰＡ符号が所定の順序内で連続的に配列され、１６ＱＡＭ変調データのために使用される前記ＨＳＤＰＡ符号が前記所定の順序内で連続的に配列される場合に、干渉を低減するために前記等化器の判定帰還フィルタをプログラムすることを備える、
請求項１８に記載の方法。
【請求項２２】
前記設定するステップは、連続するＴＴＩの第３の所定の数の各ＴＴＩ系列において１回だけ実行され、ここにおいて、前記第３の所定の数は１より大きい、請求項２１に記載の方法。
【請求項２３】
前記設定するステップは、５つの連続するＴＴＩの各ＴＴＩ系列において１回だけ実行される、請求項２１に記載の方法。
【請求項２４】
無線ネットワークの基地送受信局と通信するための無線ユーザ機器デバイスであって、前記無線ユーザ機器デバイスは、
受信機と、
等化器と、
前記受信機および前記等化器に接続される処理回路と、
を備え、ここにおいて、
前記受信機は、（１）伝送時間インターバル（ＴＴＩ）に関する第１タイプの制御情報を前記無線ネットワークのキャリヤの第１共有チャネル上で受信するように設定され、ここにおいて、前記第１タイプの制御情報は前記ＴＴＩの間の前記無線ユーザ機器デバイスへのペイロード・データのＨＳＤＰＡ伝送に対する符号割当ておよび変調技術の指示を備え、および（２）第２タイプの制御情報を前記第１共有チャネル上で受信するように設定され、ここにおいて、前記第２タイプの制御情報は前記ＴＴＩの間の複数の無線ユーザ機器デバイスへのペイロード・データのＨＳＤＰＡ伝送の符号割当ておよび変調技術に関する情報を備え、前記第１共有チャネルは、高速共有制御チャネル（ＨＳ−ＳＣＣＨ）であり、
前記処理回路は、
前記第２タイプの制御情報に従って前記等化器を設定することと、
前記ＴＴＩの間に前記無線ユーザ機器デバイスへのペイロード・データの前記伝送を第２共通チャネル上で受信し、結果として受信されたペイロード・データを得るように前記受信機を設定することと、前記第２共有チャネルは、高速ダウンリンク共有チャネル（ＨＳ−ＤＳＣＨ）であり、
前記受信されたペイロード・データ内の干渉を等化するためおよび低減するために、前記第２タイプの制御情報に従って設定された前記等化器を使用することと、
ここにおいて、前記第１タイプの制御情報は、（１）第１データ部分、および（２）前記第１ユーザ機器デバイスの専用ユーザ識別子（ＩＤ）を用いてマスクされる第１エラー検出部分を備え、前記第１エラー検出部分は前記第１データ部分から導き出され、
ここにおいて、前記第２タイプの制御情報は、（１）第２データ部分、および（２）共通ユーザＩＤを用いてマスクされる第２エラー検出部分を備え、前記共通ユーザＩＤは前記複数のユーザ機器デバイスの各ユーザ機器デバイスには既知であり、
前記専用ユーザＩＤを用いて前記第１エラー検出部分のマスクを外し、マスクを外された第１エラー検出部分を取得することと、
前記マスクを外された第１エラー検出部分を使用して前記第１データ部分の完全性を検証することと、
前記共通ユーザＩＤを用いて前記第２エラー検出部分のマスクを外し、マスクを外された第２エラー検出部分を取得することと、
前記マスクを外された第２エラー検出部分を使用して前記第２データ部分の完全性を検証することと、
を備える各ステップを実行するようにさらにアレンジされる、無線ユーザ機器デバイス。
【請求項２５】
前記等化器は、判定帰還フィルタを備える、請求項２４に記載の無線ユーザ機器デバイス。
【請求項２６】
前記第２データ部分は、複数の符号数を備え、ここにおいて、前記複数の符号数の各符号数は特定の変調技術に対応し、前記各符号数は、所定のＨＳＤＰＡ符号順序に従って、前記ＴＴＩの間に前記各符号数に対応する前記変調技術を使用して変調されるデータの伝送のために使用される連続するＨＳＤＰＡ符号の量を指示し、
前記処理回路は、前記複数の符号数、前記所定のＨＳＤＰＡ符号順序および前記第２データ部分内の前記符号数の所定の順序から前記ＴＴＩの間に伝送される各ＨＳＤＰＡ符号の変調技術を推定するようにさらにアレンジされる、
請求項２４に記載の無線ユーザ機器デバイス。
【請求項２７】
前記第２データ部分は、前記ＴＴＩの間にＱＰＳＫ変調データのために使用されるＨＳＤＰＡ符号の量を指示する第１数を備え、
前記第２データ部分は、前記ＴＴＩの間に１６ＱＡＭ変調データのために使用されるＨＳＤＰＡ符号の量を指示する第２数を備え、
前記処理回路は、ＨＳＤＰＡ符号の前記第１数がＱＰＳＫ変調データのために使用され、ＨＳＤＰＡ符号の前記第２数が１６ＱＡＭ変調データのために使用され、ＱＰＳＫ変調データのために使用される前記ＨＳＤＰＡ符号が符号の所定の順序内で連続的に配列され、そして１６ＱＡＭ変調データのために使用される前記ＨＳＤＰＡ符号が前記所定の順序内で連続的に配列される場合に、干渉を低減させるために判定帰還フィルタをプログラムするようにアレンジされる、
請求項２４に記載の無線ユーザ機器デバイス。
【請求項２８】
前記処理回路は、連続するＴＴＩの第３の所定の数の各ＴＴＩ系列において１回だけ前記第２タイプの制御情報に従って前記等化器を設定するようにさらにアレンジされ、ここにおいて、前記第３の所定の数は１より大きい、請求項２４に記載の無線ユーザ機器デバイス。
【請求項２９】
前記処理回路は、５つの連続するＴＴＩにおいて１回限り前記第２タイプの制御情報に従って前記等化器を設定するようにさらにアレンジされる、請求項２４に記載の無線ユーザ機器デバイス。
【請求項３０】
高速データ・パケット・アクセス（ＨＳＤＰＡ）を使用して複数の無線ユーザ機器デバイスと通信するための無線ネットワークにおける基地送受信局であって、前記基地送受信局は、
（１）ダウンリンク・キャリヤにより搬送される高速ダウンリンク共有チャネル（ＨＳ−ＤＳＣＨ）上でのペイロード・データと、（２）高速共有制御チャネル（ＨＳ−ＳＣＣＨ）上での制御情報とを前記複数の無線ユーザ機器デバイスに伝送するための手段と、前記伝送するための手段に接続された処理するための手段と、
を備え、ここにおいて、前記処理するための手段は、
前記伝送するための手段が、伝送時間インターバル（ＴＴＩ）に関する第１タイプの制御情報を前記複数のユーザ機器デバイスの第１ユーザ機器デバイスに伝送するようにさせるように構成され、ここにおいて、前記第１タイプの制御情報は前記ＴＴＩの間の前記第１ユーザ機器デバイスへのペイロード・データのＨＳＤＰＡ伝送の符号割当ておよび変調技術を備え、
前記伝送するための手段が、前記複数のユーザ機器デバイスの各ユーザ機器デバイスにメッセージを送るようにさせるように構成され、ここにおいて、前記メッセージは第２タイプの制御情報を備え、前記第２タイプの制御情報は前記ＴＴＩの間の前記各ユーザ機器デバイスへのペイロード・データのＨＳＤＰＡ伝送の符号割当ておよび変調技術に関する情報を備え、
前記第１タイプの制御情報を前記伝送することは、（１）第１データ部分、および（２）前記第１ユーザ機器デバイスの専用ユーザ識別子（ＩＤ）を用いてマスクされる第１エラー検出部分を送ることを備え、ここにおいて、前記第１エラー検出部分は前記第１データ部分から導き出され、
前記各ユーザ機器デバイスへの前記メッセージは、（１）第２データ部分、および（２）共通ユーザＩＤを用いてマスクされる第２エラー検出部分を備え、ここにおいて、前記共通ユーザＩＤは前記各ユーザ機器デバイスには既知である、基地送受信局。
【請求項３１】
前記処理するための手段は、前記伝送するための手段がＨＳＤＰＡを使用して前記各ユーザ機器デバイスにペイロード・データを前記ＴＴＩの間に送るようにさせるようにさらに構成される、請求項３０に記載の基地送受信局。
【請求項３２】
無線ネットワークの基地送受信局と通信するための無線ユーザ機器デバイスであって、前記無線ユーザ機器デバイスは、
受信するための手段と、
等化するための手段と、
前記受信するための手段および前記等化するための手段に接続された処理するための手段と、
を備え、ここにおいて、
前記受信するための手段は、（１）伝送時間インターバル（ＴＴＩ）に関する第１タイプの制御情報を前記無線ネットワークのキャリヤの高速共有制御チャネル（ＨＳ−ＳＣＣＨ）上で受信するように設定され、ここにおいて、前記第１タイプの制御情報は前記ＴＴＩの間の前記無線ユーザ機器デバイスへのペイロード・データのＨＳＤＰＡ伝送に対する符号割当ておよび変調技術を備え、（２）第２タイプの制御情報を前記ＨＳ−ＳＣＣＨ上で受信するように設定され、ここにおいて、前記第２タイプの制御情報は前記ＴＴＩの間の複数の無線ユーザ機器デバイスへのペイロード・データのＨＳＤＰＡ伝送の符号割当ておよび変調技術に関する情報を備え、
前記処理するための手段は、
前記第２タイプの制御情報に従って前記等化するための手段を設定することと、
前記ＴＴＩの間の前記無線ユーザ機器デバイスへの前記ペイロード・データの前記ＨＳＤＰＡ伝送を前記キャリヤの高速ダウンリンク共有チャネル（ＨＳ−ＤＳＣＨ）上で受信し、結果として受信されたペイロード・データを得るように、前記受信するための手段を設定することと、
前記第２タイプの制御情報に従って設定される前記等化するための手段を使用して、前記受信されたペイロード・データ内の干渉を等化することおよび低減することと、
を備える各ステップを実行するようにアレンジされ、
ここにおいて、前記第１タイプの制御情報は、（１）第１データ部分、および（２）前記ユーザ機器デバイスの専用ユーザ識別子（ＩＤ）を用いてマスクされる第１エラー検出部分を備え、前記第１エラー検出部分は前記第１データ部分から導き出され、
ここにおいて、前記第２タイプの制御情報は、（１）第２データ部分、および（２）共通ユーザＩＤを用いてマスクされる第２エラー検出部分を備え、前記共通ユーザＩＤは前記複数のユーザ機器デバイスの各ユーザ機器デバイスには既知であり、
前記専用ユーザＩＤを用いて前記第１エラー検出部分のマスクを外して、マスクを外された第１エラー検出部分を得ることと、
前記マスクを外された第１エラー検出部分を使用して、前記第１データ部分の完全性を検証することと、
前記共通ユーザＩＤを用いて前記第２エラー検出部分のマスクを外して、マスクを外された第２エラー検出部分を得ることと、
前記マスクを外された第２エラー検出部分を使用して、前記第２データ部分の完全性を検証することと、
を備えるステップを実行するようにアレンジされる、無線ユーザ機器デバイス。
【請求項３３】
前記等化するための手段は、判定帰還フィルタを備える、請求項３２に記載の無線ユーザ機器デバイス。
【請求項３４】
前記第２データ部分は、複数の符号数を備え、ここにおいて、前記複数の符号数の各符号数は特定の変調技術に対応し、前記各符号数は、所定のＨＳＤＰＡ符号順序に従って、前記ＴＴＩの間に前記各符号数に対応する前記変調技術を使用して変調されるデータの伝送のために使用される連続するＨＳＤＰＡ符号の量を指示し、
前記処理するための手段は、前記複数の符号数、前記所定のＨＳＤＰＡ符号順序および前記第２データ部分内の前記符号数の所定の順序から前記ＴＴＩの間に伝送される各ＨＳＤＰＡ符号の変調技術を推定するようにさらにアレンジされる、
請求項３２に記載の無線ユーザ機器デバイス。
【請求項３５】
前記第２データ部分は、前記ＴＴＩの間にＱＰＳＫ変調データのために使用されるＨＳＤＰＡ符号の量を指示する第１数を備え、
前記第２データ部分は、前記ＴＴＩの間に１６ＱＡＭ変調データのために使用されるＨＳＤＰＡ符号の量を指示する第２数を備え、
ＨＳＤＰＡ符号の前記第１数がＱＰＳＫ変調データのために使用され、ＨＳＤＰＡ符号の前記第２数が１６ＱＡＭ変調データのために使用され、ＱＰＳＫ変調データのために使用される前記ＨＳＤＰＡ符号が符号の所定の順序内で連続的に配列され、そして１６ＱＡＭ変調データのために使用される前記ＨＳＤＰＡ符号が前記所定の順序内で連続的に配列されている場合、前記処理するための手段は、干渉を低減するために前記判定帰還フィルタをプログラムするようにさらにアレンジされる、
請求項３２に記載の無線ユーザ機器デバイス。
【請求項３６】
前記処理するための手段は、連続するＴＴＩの第３の所定の数の各ＴＴＩ系列において１回だけ前記第２タイプの制御情報に従って前記等化するための手段を設定するようにさらにアレンジされ、ここにおいて、前記第３の所定の数は１より大きい、請求項３２に記載の無線ユーザ機器デバイス。
【請求項３７】
前記処理するための手段は、５つの連続するＴＴＩにおいて１回限り前記第２タイプの制御情報に従って前記等化するための手段を設定するようにさらにアレンジされる、請求項３２に記載の無線ユーザ機器デバイス。
【請求項３８】
命令を具備する機械可読記憶媒体であって、無線ネットワークにおいて複数の無線ユーザ機器デバイスと通信するための基地送受信局の少なくとも１つのプロセッサにより実行される時に、前記命令は、前記基地送受信局が、
ダウンリンク・キャリヤにより搬送される第１共有チャネル上で前記複数の無線ユーザ機器デバイスにペイロード・データを伝送することと、
第２共有チャネル上で前記複数の無線ユーザ機器デバイスに制御情報を伝送することと、
伝送時間インターバル（ＴＴＩ）に関する第１タイプの制御情報を前記複数のユーザ機器デバイスの第１ユーザ機器デバイスに伝送することと、ここにおいて、前記第１タイプの制御情報は前記ＴＴＩの間の前記第１ユーザ機器デバイスへのペイロード・データの高速データ・パケット・アクセス（ＨＳＤＰＡ）伝送の符号割当ておよび変調技術の指示を備え、
前記複数の無線ユーザ機器デバイスの各ユーザ機器デバイスにメッセージを送ることと、ここにおいて、前記メッセージは第２タイプの制御情報を備え、前記第２タイプの制御情報は前記ＴＴＩの間の前記各ユーザ機器デバイスへのペイロード・データのＨＳＤＰＡ伝送の符号割当ておよび変調技術に関する情報を備え、
前記第１タイプの制御情報を前記伝送することは、（１）第１データ部分、および（２）前記第１ユーザ機器デバイスの専用ユーザ識別子（ＩＤ）を用いてマスクされる第１エラー検出部分を送ることを備え、ここにおいて、前記第１エラー検出部分は前記第１データ部分から導き出され、
前記各ユーザ機器デバイスへの前記メッセージは、（１）第２データ部分、および（２）共通ユーザＩＤを用いてマスクされる第２エラー検出部分を備え、ここにおいて、前記共通ユーザＩＤは前記各ユーザ機器デバイスには既知である、
を備える動作を実行するようにさせる、機械可読記憶媒体。
【請求項３９】
命令を備える機械可読記憶媒体であって、無線ネットワークの基地送受信局と通信するために無線ユーザ機器デバイスの少なくとも１つのプロセッサにより実行される時に、前記命令は、前記無線ユーザ機器デバイスが、
伝送時間インターバル（ＴＴＩ）に関する第１タイプの制御情報を前記無線ネットワークのキャリヤの第１共有チャネル上で受信することと、ここにおいて、前記第１タイプの制御情報は前記ＴＴＩの間の前記無線ユーザ機器デバイスへのペイロード・データの高速データ・パケット・アクセス（ＨＳＤＰＡ）伝送のための符号割当ておよび変調技術の指示を備え、前記第１共有チャネルは、高速共有制御チャネル（ＨＳ−ＳＣＣＨ）であり、
第２タイプの制御情報を前記第１共有チャネル上で受信することと、ここにおいて、前記第２タイプの制御情報は前記ＴＴＩの間の複数の無線ユーザ機器デバイスへのペイロード・データのＨＳＤＰＡ伝送の符号割当ておよび変調技術に関する情報を備え、
前記第２タイプの制御情報に従って等化器を設定することと、
前記ＴＴＩの間に前記無線ユーザ機器デバイスへの前記ペイロード・データの前記伝送を前記キャリヤの第２共有チャネル上で受信し、結果として受信されたペイロード・データを得ることと、前記第２共有チャネルは、高速ダウンリンク共有チャネル（ＨＳ−ＤＳＣＨ）であり、
前記第２タイプの制御情報に従って設定される前記等化器を使用して、前記受信されたペイロード・データ内の干渉を等化することおよび低減することと、
ここにおいて、前記第１タイプの制御情報は、（１）第１データ部分、および（２）前記ユーザ機器デバイスの専用ユーザ識別子（ＩＤ）を用いてマスクされる第１エラー検出部分を備え、前記第１エラー検出部分は前記第１データ部分から導き出され、
ここにおいて、前記第２タイプの制御情報は、（１）第２データ部分、および（２）共通ユーザＩＤを用いてマスクされる第２エラー検出部分を備え、前記共通ユーザＩＤは前記複数のユーザ機器デバイスの各ユーザ機器デバイスには既知であり、
前記専用ユーザＩＤを用いて前記第１エラー検出部分のマスクを外し、マスクを外された第１エラー検出部分を取得することと、
前記マスクを外された第１エラー検出部分を使用して前記第１データ部分の完全性を検証することと、
前記共通ユーザＩＤを用いて前記第２エラー検出部分のマスクを外し、マスクを外された第２エラー検出部分を取得することと、
前記マスクを外された第２エラー検出部分を使用して前記第２データ部分の完全性を検証することと、
を備える動作を実行するようにさせる、ことを特徴とする機械可読記憶媒体。